(57)【要約】【課題】前面扉が回動することによる分離ユニットの運搬性の低下を抑止する。【解決手段】前面扉２６を遊技盤ユニットに向けて回動させると、前面扉２６に設けられた突起５１の傾斜面５１ａが回動防止装置に設けられた突起８７の下面８７ａに摺接される。この摺接の際に、前面扉２６と遊技盤ユニットとの相対位置が調整される。突起５１の傾斜面５１ａが回動防止装置に設けられた突起８７の下面８７ａに摺接される過程で、位置ズレ防止ピン８５が挿入孔５０に、突起５１の先端が受入溝８８にそれぞれ挿入される。ブラケット８３と、前面扉２６の背面に設けられた板金４７とを当接させた後、係止ロッド８２を解除位置から係止位置に移動させると、係止ロッド８２の先端が係止片４８の挿通孔４９に挿通され、係止ロッド８２が前面扉２６に係止される。【選択図】図７
2008183224.tif 000002
【特許請求の範囲】
【請求項１】
パチンコ球が打ち出される遊技領域を備えた遊技盤と、前記遊技盤が取り付けられるベース部材と、前記ベース部材に軸着され前記遊技盤の前面を覆う扉とから構成され、遊技場に配設される遊技機本体に対して着脱される遊技機用分離ユニットにおいて、
前記遊技盤の幅方向の両端部のうち、前記扉が軸着される側となる一端部を前記ベース部材に固定する固定部材と、
前記遊技盤が前記ベース部材に固定される一端部とは反対側の他端部に設けられ、前記扉を前記遊技盤に向けて回動させたときに、前記遊技盤の上下方向における前記遊技盤と前記扉との相対位置を調整する位置調整部材と、
前記遊技盤が前記ベース部材に固定される一端部とは反対側の他端部に設けられ、前記遊技盤との相対位置が調整された前記扉に係止される係止位置と前記扉への係止を解除する解除位置との間で移動可能な係止部材と、を備えたことを特徴とする遊技機用分離ユニット。
【請求項２】
前記位置調整部材は、先端に向けて上り傾斜する下面を有する調整用突起と、前記調整用突起の下方に設けられた受け部とを備え、
前記扉は、前記調整用突起に当接される扉側突起を備え、
前記扉が前記遊技盤に向けて回動したときに、前記扉側突起が前記調整用突起の下面に摺接しながら前記調整用突起の下方に入り込んだ後、前記受け部に受け入れられることを特徴とする請求項１記載の遊技機用分離ユニット。
【請求項３】
前記遊技盤又は前記扉のいずれか一方に、前記扉と前記遊技盤の一端部が固定されたベース部材との位置ズレを防止する位置ズレ防止部材を、他方に、前記扉を前記遊技盤に向けて回動させたときに前記位置ズレ防止部材が挿入される挿入部を設けたことを特徴とする請求項１又は２記載の遊技機用分離ユニット。
【請求項４】
前記位置調整部材と前記係止部材とを、前記遊技盤の上下方向の略中央に配設し、
前記扉を前記遊技盤に向けて回動させたときに、前記遊技盤の前面上部又は前面下部の少なくともいずれか一方に突き当てられる突起を前記扉に設けたことを特徴とする請求項１〜３いずれか１つ記載の遊技機用分離ユニット。
【請求項５】
前記位置調整部材と前記係止部材とが設けられた回動防止装置を備えていることを特徴とする請求項１〜４いずれか１つ記載の遊技機用分離ユニット。
【発明の詳細な説明】
【技術分野】
【０００１】
本発明は、遊技盤と、該遊技盤が取り付けられるベース部材と、ベース部材に軸着される前面扉とを有し、パチンコ店などの遊技場に据え置かれる遊技機本体に着脱される遊技機用分離ユニットに関するものである。
【背景技術】
【０００２】
パチンコ店などの遊技場に配設される遊技機として、スロットマシンやパチンコ機などが挙げられる。このパチンコ機は、基体となる本体部材（遊技機本体）に、パチンコ球が打ち出される遊技領域が設けられた遊技盤が取り付けられる他に、遊技領域を遊技者に視認させる開口を備えた前面扉が軸着されている。また、本体部材には、パチンコ機に給電を行う電源装置の他に、パチンコ球を打ち出す発射装置やパチンコ球を払い出す払出装置などの装置や、発射装置や払出装置の作動を制御する制御回路基板などが取り付けられている。
【０００３】
遊技場においては、既に配設されたパチンコ機から新しい機種のパチンコ機へ交換する、所謂機種替えを行うときには、遊技場に配設されたパチンコ機を固定枠毎取り外した後、新しい機種となるパチンコ機を遊技場に配設することが一般的である。このような機種替えのうち、遊技場から取り外されたパチンコ機と新たに遊技場に配設するパチンコ機とが同一の製造者の元で作成されたものであっても、遊技場に配設されていたパチンコ機は取り外されることが多く、例えば同一形状の本体部材や、この本体部材に取り付けられる発射装置や払出装置など、共通化できるものまで交換してしまうことになり、機種替えにかかる設備投資のコストダウンを効率良く行うことができないという問題がある。
【０００４】
このような問題を解決する方法として、発射装置や払出装置などパチンコ機の基本動作を行う装置や本体部材を遊技場に据え置きとし、遊技盤や前面扉、及び遊技を制御する遊技制御回路装置など交換が必要な箇所のみを本体部材からまとめて交換できる分離ユニットとすることが提案されている（特許文献１など）。このように、同一の製造者の元で製造されたパチンコ機であれば、分離ユニットのみを交換することが可能となり、機種替え時に係る設備投資のコストダウンを効率良く行うことができる。
【特許文献１】特開２００５−２４５７１０号公報
【発明の開示】
【発明が解決しようとする課題】
【０００５】
上述した分離ユニットは、前面扉が軸着されるベース部材に遊技盤を保持することで構成されていることが多い。このベース部材としては、遊技盤の四隅を遊技盤を保持する枠状のものが一般的に用いられているが、最近では、アニメーション表示等の動画表示や、当たり表示などを行う図柄表示装置が拡大することに伴って、遊技盤や、遊技盤に設けられる遊技領域も拡大されていることから、ベース部材の小型化が望まれる。しかしながら、小型化されたベース部材に遊技機本体を取り付けた場合には、ベース部材に軸着される前面扉は、幅方向の他端部が自由端となることから、作業者が分離ユニットを持ち運ぶときには前面扉が遊技盤に向けた方向に、又は遊技盤から離れる方向に回動しやすく、分離ユニットが運びづらいという欠点がある。さらに、遊技盤に向けた方向に前面扉が回動した場合には、遊技盤の前面に設けられた構造物や、ガイドレールなどに前面扉の後面に取り付けられたガラスが衝突し、遊技盤に設けられた構造物や、ガラスが破損してしまうという欠点がある。
【０００６】
本発明は、上記課題を解決するためになされたものであり、前面扉が回動することによる分離ユニットの運搬性の低下を抑止することができるようにした遊技機用分離ユニットを提供することを目的とする。
【課題を解決するための手段】
【０００７】
上記目的を達成するために、本発明の遊技機用分離ユニットは、パチンコ球が打ち出される遊技領域を備えた遊技盤と、前記遊技盤が取り付けられるベース部材と、前記ベース部材に軸着され前記遊技盤の前面を覆う扉とから構成され、遊技場に配設される遊技機本体に対して着脱される遊技機用分離ユニットにおいて、前記遊技盤の幅方向の両端部のうち、前記扉が軸着される側となる一端部を前記ベース部材に固定する固定部材と、前記遊技盤が前記ベース部材に固定される一端部とは反対側の他端部に設けられ、前記扉を前記遊技盤に向けて回動させたときに、前記遊技盤の上下方向における前記遊技盤と前記扉との相対位置を調整する位置調整部材と、前記遊技盤が前記ベース部材に固定される一端部とは反対側の他端部に設けられ、前記遊技盤との相対位置が調整された前記扉に係止される係止位置と前記扉への係止を解除する解除位置との間で移動可能な係止部材と、を備えたことを特徴とする。なお、遊技盤としては、ガイドレールが固定された遊技盤の他に、遊技領域を形成するレール枠と呼ばれる部材が遊技盤に着脱自在に取り付けられた遊技盤ユニットや、レール枠の他に、制御装置などが取り付けられる裏機構板と呼ばれる部材が遊技盤の背面に取り付けられた遊技盤ユニットも含まれる。
【０００８】
また、前記位置調整部材は、先端に向けて上り傾斜する下面を有する調整用突起と、前記調整用突起の下方に設けられた受け部とを備え、前記扉は、前記調整用突起に当接される扉側突起を備え、前記扉が前記遊技盤に向けて回動したときに、前記扉側突起が前記調整用突起の下面に摺接しながら前記調整用突起の下方に入り込んだ後、前記受け部に受け入れられることを特徴とする。
【０００９】
また、前記遊技盤又は前記扉のいずれか一方に、前記扉と前記遊技盤の一端部が固定されたベース部材との位置ズレを防止する位置ズレ防止部材を、他方に、前記扉を前記遊技盤に向けて回動させたときに前記位置ズレ防止部材が挿入される挿入部を設けたことを特徴とする。
【００１０】
また、前記位置調整部材と前記係止部材とを、前記遊技盤の上下方向の略中央に配設し、前記扉を前記遊技盤に向けて回動させたときに、前記遊技盤の前面上部又は前面下部の少なくともいずれか一方に突き当てられる突起を前記扉に設けたことを特徴とする。また、前記位置調整部材と前記係止部材とが設けられた回動防止装置を備えていることを特徴とする。
【発明の効果】
【００１１】
本発明の遊技機用分離ユニットによれば、位置調整部材によって遊技盤との相対位置が調整された扉に係止部材を円滑に係止させることができ、また、扉の開閉が防止可能となるので、遊技機用分離ユニットを容易に持ち運ぶことができる。
【００１２】
また、扉が遊技盤に向けて回動したときに、扉側突起が調整用突起の下面に摺接しながら調整用突起の下方に入り込むことで、仮にベース部材に一端部が固定された遊技盤の他端部が遊技盤の重量によってずれている場合であっても、扉と遊技盤との相対位置の調整が正確に行われるので、係止部材による扉の係止を確実に行うことができる。
【００１３】
また、扉とベース部材との位置ズレを防止する位置ズレ防止部材と、位置ズレ防止部材が挿入される挿入部とを備えているから、回動防止装置によって回動が防止された扉が、遊技盤の幅方向にずれる、又は遊技盤の上下方向にずれることで発生する扉の振動を防止することができる。
【００１４】
また、回動防止装置によって回動が防止される扉は、該扉に設けられた突起を遊技盤に押し当てられた状態で保持されるので、扉の回動方向における振動を防止することができる。
【発明を実施するための最良の形態】
【００１５】
図１に示すように、パチンコ機１０は、本体部材（遊技機本体）１１と、分離ユニット（遊技機用分離ユニット）１２とから構成されている。本体部材１１は、固定枠１３を介してパチンコ店などの遊技場に配設される。この本体部材１１の前面には、その上部に分離ユニット１２が着脱される他に、その下部に供給皿１５や操作ハンドル１６などが設けられている。
【００１６】
供給皿１５は、遊技を開始するときにパチンコ球が供給される他に、遊技を行って入賞を得た場合に払い出されるパチンコ球が受容される。操作ハンドル１６は遊技を行うときに操作され、この操作ハンドル１６の操作とともに、本体部材１１に取り付けられた発射装置１７が作動を開始し、操作ハンドル１６の操作量に基づいた打ち出し強さでパチンコ球を打ち出す。このパチンコ球の打ち出しとともに、供給皿１５に受容されたパチンコ球が発射装置１７に向けて送り込まれる。一方、打ち出されたパチンコ球は後述する遊技盤ユニット２７に設けられた遊技領域６５の上方に到達した後、遊技領域６５を流下する。なお、符号１８は、払い出し口であり、入賞時に払い出されるパチンコ球が、この払い出し口１８を介して供給皿１５に排出される。
【００１７】
図２及び図３に示すように、分離ユニット１２は、ベース部材２５と、前面扉（扉）２６と、遊技盤ユニット（遊技盤）２７とから構成されている。ベース部材２５は、上下方向を長手方向とする略Ｌ字状からなる。このベース部材２５の上端部及び下端部には、ベース部材２５の前方に向けて突出する支持片３０，３１が設けられている。支持片３０には、その上面から突出する回動軸３２が設けられている。また、支持片３１には、その下面から突出する回動軸３３が設けられている。支持片３０の回動軸３２と、支持片３１の回動軸３３とは同軸となるように、それぞれ設けられている。これら支持片３０，３１に設けられる回動軸３２，３３を介して、ベース部材２５が本体部材１１に軸着される。なお、ベース部材２５を本体部材１１に軸着する方法としては、本実施形態に限定する必要はなく、例えば支持片３０、３１のいずれかに軸受け孔を設け、本体部材１１に設けられた回動軸を軸受け孔に挿通させることでベース部材２５を本体部材１１に軸着させることも可能である。
【００１８】
ベース部材２５の壁面２５ａには、その上下方向に所定の間隔を空けて、位置決め部３７，３８が設けられている。これら位置決め部３７，３８は、ベース部材２５に遊技盤ユニット２７を固定する際に、遊技盤ユニット２７の前面が当接される。また、ベース部材２５の上端部及び下端部には、固定用レバー（固定部材）３９，４０が設けられている。
【００１９】
固定用レバー３９，４０は頭部が略菱形状のＴ字状の部材からなり、頭部の長手方向がベース部材２５の上下方向に沿う垂直状態と、その長手方向がベース部材２５の上下方向から水平となる状態との間で回転可能である。例えば、遊技盤ユニット２７をベース部材２５に取り付ける時には、これら固定用レバー３９，４０は、その頭部の長手方向がベース部材２５の上下方向に沿う垂直状態で遊技盤ユニット２７を構成する遊技領域形成部材５６の挿通孔７０，７１にそれぞれ挿通された後、ベース部材２５の上下方向から水平となる状態へと回転させる。これにより、固定用レバー３９，４０が遊技領域形成部材５６に設けられた挿通孔７０，７１の周縁部にそれぞれ係止される。
【００２０】
前面扉２６は、中央が遊技領域６５に合わせて開口された枠形状からなる。この前面扉２６は、その幅方向の一端部がベース部材２５に軸着されることで固定端となり、その幅方向の他端部が自由端となる。この前面扉２６の開口された部分（以下、開口２６ａ）は、前面扉の背面２６ｂに取り付けられたガラス４５によって塞がれる。
【００２１】
この前面扉２６の背面２６ｂであって、自由端側の上部には、前面扉２６の背面２６ｂから突出するガタツキ防止片（突起）４６が設けられている。このガタツキ防止片４６は、前面扉２６を閉じたときに遊技盤ユニット２７を構成する遊技領域形成部材５６に突き当てられる。
【００２２】
この前面扉２６の背面２６ｂには、補強用の板金４７が設けられている。この板金の長手方向の略中央には、９０°折り曲げられることで前面扉２６の背面２６ｂから突出する係止片４８が設けられている。この係止片４８には挿通孔４９が設けられており、この挿通孔４９に後述する回動防止装置８０の係止ロッド８２が挿通される。
【００２３】
また、この板金４７であって、係止片４８の下方には、挿入孔（挿入部）５０と突起（扉側突起）５１とが設けられる。挿入孔５０は、前面扉２６を閉じるときに、後述する回動防止装置８０に設けられた位置ズレ防止ピン８５が挿入される。突起５１の上面は、先端に向けて下り傾斜する２つの段差状の傾斜面５１ａ，５１ｂと、これら２つの傾斜面５１ａ，５１ｂの間となる段差部に設けられた水平面５１ｃとから構成されている。傾斜面５１ａは、前面扉２６を閉じるときに、回動防止装置８０に設けられた調整用突起８７の下面８７ａに摺接された後、受入溝８８の上壁面８８ａに当接される。また、傾斜面５１ｂは、前面扉２６が遊技盤ユニット２７の前面に位置したときに、調整用突起８７の下面８７ａに当接される。なお、突起５１の形状は、本実施形態に限定されるものではなく、先端に向けて段差のない下り傾斜する傾斜面であってもよい。
【００２４】
遊技盤ユニット２７は、遊技盤５５と、遊技領域形成部材５６とを備えている。遊技盤５５には、図示しない障害釘や風車の他に、センター役物６０と呼ばれる構造物や、始動チャッカー６１、通常チャッカー６２、アタッカ６３などの入賞装置が配設されている（図１参照）。なお、図２及び図３においては、図の煩雑さを省略するためこれら構造物を省略してある。遊技領域形成部材５６は、その中央が略円形状に開口された枠形状からなり、遊技盤５５の前面に取り付けられる。この遊技領域形成部材５６が遊技盤５５の前面に取り付けられることで遊技領域６５が形成される他、遊技領域６５の左方に沿ってパチンコ球が遊技領域６５に向けて案内される案内通路６６が形成される。
【００２５】
この遊技領域形成部材５６の四隅には、その上下方向が長手方向となる略菱形の挿通孔７０，７１，７２，７３が設けられている。これら挿通孔７０，７１，７２，７３のうち、遊技領域形成部材５６の左側端部に設けられる挿通孔７０，７１には、ベース部材２５に設けられた固定用レバー３９，４０が挿通される。一方、遊技領域形成部材５６の右側端部に設けられる挿通孔７２，７３には、本体部材１１に設けられる固定用レバー１２６，１２７（図１０参照）がそれぞれ挿通される。この遊技領域形成部材５６の右側端部であって、遊技領域形成部材５６の上下方向の中央部分には、前面扉２６の回動を防止する回動防止装置８０が設けられている。
【００２６】
図４に示すように、回動防止装置８０は、取付ベース（位置調整部材）８１と、係止ロッド（係止部材）８２と、ブラケット８３とから構成されている。取付ベース８１は、略直方体状からなる。この取付ベース８１の前面８１ａであって、その略中央には位置ズレ防止ピン（位置ズレ防止部材）８５が設けられている。この位置ズレ防止ピン８５は、前面扉２６を閉じたときに、前面扉２６の背面２６ｂに設けられた挿入孔５０に挿入されることで、分離ユニット１２を持ち運ぶときに生じる前面扉２６とベース部材２５との位置ズレを防止する。
【００２７】
この位置ズレ防止ピン８５の下方には、取付ベース８１の前面８１ａから突出する調整用突起８７と、調整用突起８７の下方に設けられた受入溝（受け部）８８とを備えている。調整用突起８７の下面８７ａは、取付ベース８１の前面８１ａから、その先端に向けて上り傾斜する傾斜面から構成されている。この調整用突起８７の下面８７ａは、前面扉２６を遊技盤ユニット２７に向けて回動させた時に、前面扉２６に設けられた突起５１の傾斜面５１ｂに当接される。受入溝８８は、前面扉２６の背面２６ｂに設けられた突起５１を受け入れる。この受入溝８８の上壁面８８ａは、受け入れられた突起５１の傾斜面５１ａに当接される。なお、調整用突起８７の下面８７ａと、受入溝８８の上壁面８８ａとは、同一平面からなる傾斜面としてもよい。
【００２８】
また、位置ズレ防止ピン８５の上方には、バネ収納部９１の他に、このバネ収納部９１に連通する保持溝９２，９３が設けられている。バネ収納部９１には、コイルバネ９５が収納される。保持溝９２，９３は、係止ロッド８２の直径と略同一となる幅から構成されている。この保持溝９３の下端部は開口され、取付ベース８１の背面側から保持溝９２の上端部の開口に向けて係止ロッド８２が挿通される。
【００２９】
この取付ベース８１の側面８１ｂには、位置決め片９４，９５が間隔を空けて設けられている。なお、符号９６、９７は位置決めピンであり、ブラケット８３へ取り付ける時にブラケット８３に設けられた位置決め用の孔１１５，１１６にそれぞれ挿通される。図５に示すように、取付ベース８１の背面には、第１係止部９８と、第２係止部９９とが設けられており、取付ベース８１の長手方向において、第１係止部９８が第２係止部９９よりも下方に位置している。これら第１係止部９８、又は第２係止部９９のいずれか一方に係止ロッド８２が係止された状態で保持される。
【００３０】
図４に戻って、係止ロッド８２は、長手方向の一端部を９０°折り曲げられたＬ字形状からなる。この係止ロッド８２の長片８２ａは、取付ベース８１の背面側から保持溝９２，９３に挿通される。この係止ロッド８２の長片８２ａであって、その長手方向の中央には取付溝８２ｂが設けられており、取付ベース８１の保持溝９２，９３に係止ロッド８２の長片８２ａを挿通させた後に、Ｅリング１０１が取り付けられる。このＥリング１０１を係止ロッド８２に取り付けることで、コイルバネ１００の付勢が係止ロッド８２に伝達され、係止ロッド８２の長片８２ａの先端が取付ベース８１から突出する方向に（図６に示すＪ方向に）付勢される。また、係止ロッド８２の短片８２ｃは、取付ベース８１の背面から突出し、取付ベース８１の背面に設けられた第１係止部９８、第２係止部９９のいずれか一方に係止される。
【００３１】
図５（Ａ）に示すように、第１係止部９８は、第２係止部９９よりも下方に位置しているので、係止ロッド８２の短片８２ｃが第１係止部９８に係止された場合には、係止ロッド８２の長片８２ａの先端は、保持溝９２の内部に収納される。以下では、このときの係止ロッド８２の位置を解除位置と称する。図５（Ｂ）に示すように、係止ロッド８２の短片８２ｃが第２係止部９９に係止されている場合には、係止ロッド８２の長片８２ａの先端が取付ベース８１の上面８１ｄから突出する。前面扉２６が遊技盤ユニット２７の前面に位置しているときには、係止ロッド８２の長片８２ａの先端が、前面扉２６の背面２６ｂに設けられた係止片４８の挿通孔４９に挿通される。以下では、このときの係止ロッド８２の位置を係止位置と称する。なお、係止ロッド８２を解除位置から係止位置へと移動させる場合には、第１係止部９８に係止された係止ロッド８２の短片８２ｃをＧ方向に移動させた後、第２係止部９９に係止させる。また、係止ロッド８２を係止位置から解除位置へと移動させる場合には、係止ロッド８２の短片８２ｃをＨ方向に移動させた後、第１係止部９８に係止させる。
【００３２】
ブラケット８３は、略矩形板の両端部を相反する方向に、垂直に折り曲げたクランク形状からなる。このブラケット８３の折り曲げられた両端部のうち、幅の広い端部を長片８３ａとし、幅の狭い端部を短片８３ｂとして説明する。長片８３ａの上端部及び下端部には、長片８３ａと直交するように短片８３ｂ側に折り曲げられた位置決め片１０５，１０６が設けられている。これら取付片１０５，１０６のうち、取付片１０５は、遊技領域形成部材５６の後面に設けられたリブ１１０の上面に、取付片１０６は、リブ１１１の下面に配置されることで、遊技領域形成部材５６に対するブラケット８３の位置決めが行われる。なお、図示はしていないが、このブラケット８３の前面は、該ブラケットの折り曲げられていない中央部８３ｃの面を遊技領域形成部材５６の側面に沿わせた後、ネジなどによって遊技領域形成部材５６に取り付けられる。この取り付けによって、ブラケット８３の短片８３ｂが遊技領域形成部材５６の前方に、また、ブラケット８３の短片８３ｂの前面と遊技領域形成部材５６の前面とが平行となる。
【００３３】
ブラケット８３の短片８３ｂは、その後面側から取付ベース８１が取り付けられる。この短片８３ｂとブラケットの中央部８３ｃとの稜線に連なって上下２カ所が切り欠かれている（以下、切り欠き部１１２，１１３）。この切り欠き部１１２，１１３に取付ベース８１の位置決め片９４，９５が挿入される。このとき、取付ベース８１に設けられたバネ収納部９１が切り欠き部１１２から露呈される。また、調整用突起８７及び受入溝８８が切り欠き部１１３から露呈される。
【００３４】
また、短片８３ｂの上下方向の中央であって、切り欠き部１１２，１１３の間には、挿通孔１１４が設けられている。この挿通孔１１４には、位置ズレ防止ピン８５が挿通される。なお、符号１１５，１１６は、取付ベース８１の位置決めピン９６，９７が挿通される挿通孔である。
【００３５】
このような分離ユニット１２は、以下のようにして組み立てられる。まず、前面扉２６の幅方向の一端部をベース部材２５に軸着した後、ベース部材２５に遊技盤ユニット２７を取り付ける。遊技盤ユニット２７の幅方向の一端部を位置決め部３７，３８の後方に差し込んだ後、遊技領域形成部材５６の挿通孔７０，７１に、長手方向がベース部材２５の上下方向に垂直な状態に保持された固定用レバー３９，４０をそれぞれ挿通させる。その後、固定用レバー３９，４０を水平方向に向けて９０°回転させて、固定用レバー３９，４０と挿通孔７０，７１の周縁部とを係止させる。これにより、分離ユニット１２が組み立てられる。なお、ベース部材２５に前面扉２６を軸着した後、遊技盤ユニット２７を取り付けているが、先に遊技盤ユニット２７をベース部材２５に取り付けた後に前面扉２６をベース部材２５に軸着することも可能である。
【００３６】
図６〜９に示すように、分離ユニット１２が完成した後、前面扉２６を遊技盤ユニット２７に向けて（Ｋ方向に）回動させる。遊技盤ユニット２７は重いことから、遊技盤ユニット２７がベース部材２５に取り付けられた左側端部とは反対側となる端部（以下、自由端）側と、前面扉２６の自由端側の位置ズレが生じていることがある。
【００３７】
このような場合、前面扉２６を遊技盤ユニット２７に向けて（Ｋ方向に）回動させると、前面扉２６の背面２６ｂに設けられた突起５１の傾斜面５１ａが、調整用突起８７の下面８７ａに当接される。前面扉２６の背面２６ｂに設けられた突起５１の傾斜面５１ａと調整用突起８７の下面８７ａとは、傾斜方向が同一であることから、前面扉２６の突起５１の傾斜面５１ａが調整用突起８７の下面８７ａに摺接されていく。この摺接の過程で、例えば前面扉２６の自由端側がＬ方向に移動して、遊技盤ユニット２７の自由端側との相対位置が調整されていく。
【００３８】
また、前面扉２６と遊技盤ユニット２７との相対位置の調整が行われている過程で、前面扉２６の挿入部５０に回動防止装置８０の位置ズレ防止ピン８５が挿入される。そして、前面扉２６の突起５１の傾斜面５１ａと回動防止装置８０の調整用突起８７の下面８７ａとの摺接が解除されると、前面扉２６の突起５１が受入溝８８に挿入される。受入溝８８に前面扉２６の突起５１が挿入されると、突起５１の傾斜面５１ａと受入溝８８の上壁面８８ａとが当接され、また、突起の傾斜面５１ｂと調整用突起８７の下面８７ａとが当接される。このときに、前面扉２６に設けられたガタツキ防止片４６の先端が遊技領域形成部材５６の前面に突き当てられるとともに、回動防止装置８０のブラケット８３の短片８３ｂが前面扉２６の板金４７に当接され、前面扉２６の回動が停止される。
【００３９】
前面扉２６の回動が停止された後、作業者は、解除位置にある係止ロッド８２の短片８２ｃをＧ方向に移動させ、係止ロッド８２を解除位置から係止位置へと移動させる。係止ロッド８２を係止位置へと移動させると、係止ロッド８２の長片８２ａの先端が係止片４８の挿通孔４９に挿通される。なお、係止ロッド８２はコイルバネ１００により方向へ付勢されていることから、係止ロッド８２が係止位置から解除位置へと移動することはない。これにより、前面扉２６と遊技盤ユニット２７とが係止される。
【００４０】
この状態で、作業者は、取っ手１１８（図３参照）を掴んで分離ユニット１２を持ち運ぶ。このとき、前面扉２６の自由端側は、回動防止装置８０の係止ロッド８２によって係止され、また、前面扉２６に設けられたガタツキ防止片４６が遊技領域規制部材５６の前面に突き当てられていることから、前面扉２６のガタツキが防止され、分離ユニット１２の持ち運びを容易に行うことができる。
【００４１】
図１０に示すように、この分離ユニット１２を本体部材１１に取り付ける際には、回動防止装置８０によって前面扉２６が係止された状態で、ベース部材２５を本体部材１１に軸着する。ベース部材２５を本体部材１１に軸着した後、回動防止装置８０の係止ロッド８２を係止位置から解除位置へと移動させる。これにより、前面扉２６の回動を行うことが可能となる。その後、ベース部材２５に取り付けられた遊技盤ユニット２７を本体部材１１に向けて回動させると、ベース部材２５に設けられた挿通孔１２０，１２１に、本体部材１１の位置決め部１２２，１２３が挿通される。本体部材１１には、遊技盤ユニット２７の背面を本体部材１１の前面側に押圧する板バネ１２４，１２５が設けられているので、遊技盤ユニット２７を本体部材１１の前面に向けて回動させると、遊技盤ユニット２７の固定端側が板バネ１２４，１２５によって本体部材１１の前方に向けて押圧され、遊技領域形成部材５６の前面が位置決め部１２２，１２３に押圧される。
【００４２】
このとき、遊技領域形成部材５６に設けられた挿通孔７２，７３に、本体部材１１に設けられた固定用レバー１２６，１２７が挿通されるので、固定用レバー１２６，１２７を９０°回動させて、固定用レバー１２６，１２７を、挿通孔７２，７３の周囲にそれぞれ係止させる。これにより、遊技盤ユニット２７が本体部材１１に固定される。さらに、前面扉２６を本体部材１１に向けて回動させると、本体部材１１に設けられた施錠装置（図示せず）によって前面扉２６が施錠される。
【００４３】
本実施形態では、ガタツキ防止部材を、前面扉の背面の上端部に設けたが、ガタツキ防止部材の位置は、前面扉の背面の上端部に限定する必要はなく、例えば前面扉の背面の下端部もうけることも可能である。また、前面扉の背面の上端部及び下端部にそれぞれガタツキ防止部材を設けることも可能である。
【００４４】
本実施形態では、位置ズレ防止ピンを取付ベースに、位置ズレ防止ピンが挿入される挿入孔を前面扉の背面に設けた実施形態としているが、これに限定されるものではなく、位置ズレ防止ピンを前面扉の背面に、挿入部を取付ベース、或いは遊技領域形成部材に設けることも可能である。
【００４５】
本実施形態では、取付ベースと、係止ロッドとを有する回動防止装置を遊技盤ユニットに取り付けた構成としているが、これに限定する必要はなく、例えば遊技盤ユニットに係止ロッドを直接取り付けることも可能である。この場合、取付ベースに設けられた調整用突起や受入溝を遊技盤ユニットを構成する遊技領域形成部材の前面に設け、また、係止ロッドを遊技領域形成部材に取り付ける。これにより、回動防止装置を遊技盤ユニットに取り付ける必要がなくなるので、部品点数を減少させるとともに、遊技盤ユニットの製造時の工程を減らすことができる。
【図面の簡単な説明】
【００４６】
【図１】パチンコ機の外観の構成の一例を示す斜視図である。
【図２】分離ユニットの構成の一例を示す斜視図である。
【図３】ベース部材と遊技盤ユニットの構成を分解して示す斜視図である。
【図４】回動防止装置の構成を分解して示す斜視図である。
【図５】係止ロッドが解除位置にあるとき、及び係止位置にあるときの回動防止装置の構成を示す斜視図である。
【図６】前面扉を遊技盤ユニットに向けて回動させる前の状態を示す断面図である。
【図７】前面扉の突起が取付ベースの突起の下面に摺接されたときの回動防止装置近傍を示す断面図である。
【図８】前面扉と遊技盤ユニットとの相対位置が調整されたときの回動防止装置近傍を示す断面図である。
【図９】係止ロッドによって前面扉が係止されたときの回動防止装置近傍、及びガタツキ防止片の近傍を示す断面図である。
【図１０】分離ユニットを本体部材に取り付けるときの状態を示す斜視図である。
【符号の説明】
【００４７】
１０  パチンコ機（遊技機）
１１  本体部材（遊技機本体）
１２  分離ユニット
２５  ベース部材
２６  前面扉（扉）
２７  遊技盤ユニット（遊技盤）
３９，４０  固定用レバー（固定部材）
４６  ガタツキ防止片（突起）
４８  係止片
４９  挿通孔
５０  挿入孔（挿入部）
５１  突起（扉側突起）
６５  遊技領域
８０  回動防止装置
８１  取付ベース（位置調整部材）
８２  係止ロッド（係止部材）
８３  ブラケット
８５  位置ズレ防止ピン（位置ズレ防止部材）
８７  調整用突起
８８  受入溝（受け部）
【図１】
2008183224.tif 000003
【図２】
2008183224.tif 000004
【図３】
2008183224.tif 000005
【図４】
2008183224.tif 000006
【図５】
2008183224.tif 000007
【図６】
2008183224.tif 000008
【図７】
2008183224.tif 000009
【図８】
2008183224.tif 000010
【図９】
2008183224.tif 000011
【図１０】
2008183224.tif 000012